【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビデオデータのブロックのためのルーマ残差サンプルを決定することと、
前記ビデオデータのブロックのための予測クロマ残差サンプルを決定することと、
スケーリングされたルーマ残差サンプルを生成するために、スケールファクタで前記ルーマ残差サンプルをスケーリングすることと、
前記予測クロマ残差サンプルと前記スケーリングされたルーマ残差サンプルとに基づいて、更新されたクロマ残差サンプルを決定することと、
前記ビデオデータのブロックのためのクロマピクセルサンプルを再構成するために、前記更新されたクロマ残差サンプルを、対応する予測クロマピクセルサンプルと合計することと、
を備え、
前記更新されたクロマ残差サンプルを決定することは、
【数１】
2016530775.tif 000001
を備え、
ここにおいて、ＲLは前記残差ルーマサンプルであり、
ここにおいて、ＲCpは前記予測クロマ残差サンプルであり、
ここにおいて、ＲCは前記更新された残差クロマサンプルであり、
ここにおいて、αは前記スケールファクタであり、
ここにおいて、Ｎは非負整数の定数パラメータであり、
ここにおいて、前記ブロックはＹＣｂＣｒ４：４：４フォーマットを有する、方法。
【請求項２】
ビデオを符号化する方法であって、
ビデオデータのブロックのためのルーマ残差サンプルを決定することと、
前記ビデオデータのブロックのためのクロマ残差サンプルを決定すること、ここにおいて、前記クロマ残差サンプルは、前記ビデオデータのブロックのクロマピクセルサンプルと、前記ビデオデータのブロックの対応する予測クロマピクセルサンプルとの間の差分を表す、と、
スケーリングされたルーマ残差サンプルを生成するために、スケールファクタで前記ルーマ残差サンプルをスケーリングすることと、
前記クロマ残差サンプルと前記スケーリングされたルーマ残差サンプルとに基づいて、前記ビデオデータのブロックのための予測クロマ残差サンプルを決定することと、
前記予測クロマ残差サンプルと前記ルーマ残差サンプルとを符号化することと、を備え、
前記予測クロマ残差サンプルを決定することは、
【数２】
2016530775.tif 000002
を決定することを備え、
ここにおいて、ＲLは前記残差ルーマサンプルであり、
ここにおいて、ＲCpは前記予測クロマ残差サンプルであり、
ここにおいて、ＲCは前記更新された残差クロマサンプルであり、
ここにおいて、αは前記スケールファクタであり、
ここにおいて、Ｎは非負整数の定数パラメータであり、
ここにおいて、前記ブロックはＹＣｂＣｒ４：４：４フォーマットを有する、方法。
【請求項３】
ビデオデータを復号するためのデバイスであって、
ビデオデータを記憶するように構成されたメモリと、
ビデオデータのブロックのためのルーマ残差サンプルを決定することと、
前記ビデオデータのブロックのための予測クロマ残差サンプルを決定することと、
スケーリングされたルーマ残差サンプルを生成するために、スケールファクタで前記ルーマ残差サンプルをスケーリングすることと、
前記予測クロマ残差サンプルと前記スケーリングされたルーマ残差サンプルとに基づいて、更新されたクロマ残差サンプルを決定することと、
前記ビデオデータのブロックのためのクロマピクセルサンプルを再構成するために、前記更新されたクロマ残差サンプルを、対応する予測クロマピクセルサンプルと合計することと、
を行うように構成された少なくとも１つのプロセッサと、
を備え、
前記更新されたクロマ残差サンプルを決定するために、前記少なくとも１つのプロセッサは、
【数３】
2016530775.tif 000003
を決定するように構成され、
ここにおいて、ＲLは前記残差ルーマサンプルであり、
ここにおいて、ＲCpは前記予測クロマ残差サンプルであり、
ここにおいて、ＲCは前記更新された残差クロマサンプルであり、
ここにおいて、αは前記スケールファクタであり、
ここにおいて、Ｎは非負整数の定数パラメータであり、
ここにおいて、前記ブロックはＹＣｂＣｒ４：４：４フォーマットを有する、デバイス。
【請求項４】
前記少なくとも１つのプロセッサは、
量子化およびスケーリングされたルーマ残差サンプルを生成するために、前記スケーリングされたルーマ残差サンプルを量子化するようにさらに構成され、ここにおいて、前記更新されたクロマ残差サンプルを決定するために、前記少なくとも１つのプロセッサは、前記更新されたクロマ残差サンプルを生成するために、前記量子化およびスケーリングされたルーマ残差サンプルを、前記予測クロマ残差サンプルと加算するようにさらに構成される、請求項３に記載のデバイス。
【請求項５】
前記少なくとも１つのプロセッサは、符号化ビデオビットストリーム中で前記スケールファクタを受信するようにさらに構成される、請求項３に記載のデバイス。
【請求項６】
前記更新されたクロマ残差サンプルを決定するために、前記少なくとも１つのプロセッサは、
オフセット値を決定することと、
前記量子化されたルーマ残差サンプルに前記オフセットを加算することと、
を行うようにさらに構成される、請求項３に記載のデバイス。
【請求項７】
前記予測残差クロマサンプルを決定するために、前記少なくとも１つのプロセッサは、
前記ビデオブロックの残差クロマサンプルおよび前記ビデオブロックの残差サンプルが同じイントラ予測方向を有すると決定することに応答して、前記予測残差クロマサンプルを決定すること、
を行うようにさらに構成される、請求項３に記載のデバイス。
【請求項８】
前記スケールファクタを決定するために、前記少なくとも１つのプロセッサは、
第１のシンタックス要素から前記スケールファクタのための符号を決定することと、
第２のシンタックス要素から前記スケールファクタの絶対値を決定することと、および／または、
前記ブロックを含むスライスヘッダ中でコーディングされた値に基づいて、前記スケールファクタが０に等しいか否かを決定することと、
を行うようにさらに構成され、ここにおいて、前記少なくとも１つのプロセッサは、
前記スライスヘッダ中の前記値が１に等しいと決定することに応答して、前記予測クロマ残差サンプルに関連付けられたコーディングツリーユニット（ＣＴＵ）と、コーディングユニット（ＣＵ）と、予測ユニット（ＰＵ）と、変換ユニット（ＴＵ）とからなるグループのうちの少なくとも１つにおいてコーディングされたシンタックス要素の値に基づいて、前記スケールファクタが０に等しいか否かを決定すること、
を行うようにさらに構成される、請求項３に記載のデバイス。
【請求項９】
ビデオを符号化するためのデバイスであって、
ビデオデータを記憶するように構成されたメモリと、
ビデオデータのブロックのためのルーマ残差サンプルを決定することと、
前記ビデオデータのブロックのためのクロマ残差サンプルを決定すること、ここにおいて、前記クロマ残差サンプルは、前記ビデオデータのブロックのクロマピクセルサンプルと、前記ビデオデータのブロックの対応する予測クロマピクセルサンプルとの間の差分を表す、と、
スケーリングされたルーマ残差サンプルを生成するために、スケールファクタで前記ルーマ残差サンプルをスケーリングすることと、
前記クロマ残差サンプルと前記スケーリングされたルーマ残差サンプルとに基づいて、前記ビデオデータのブロックのための予測クロマ残差サンプルを決定することと、
前記予測クロマ残差サンプルと前記ルーマ残差サンプルとを符号化することと、
を行うように構成された少なくとも１つのプロセッサと
を備え、
前記予測クロマ残差サンプルを決定するために、前記少なくとも１つのプロセッサは、
【数４】
2016530775.tif 000004
を決定するようにさらに構成され、
ここにおいて、ＲLは前記残差ルーマサンプルであり、
ここにおいて、ＲCpは前記予測クロマ残差サンプルであり、
ここにおいて、ＲCは前記更新された残差クロマサンプルであり、
ここにおいて、αは前記スケールファクタであり、
ここにおいて、Ｎは非負整数の定数パラメータであり、
ここにおいて、前記ブロックはＹＣｂＣｒ４：４：４フォーマットを有する、デバイス。
【請求項１０】
前記少なくとも１つのプロセッサは、量子化およびスケーリングされたルーマサンプルを生成するために、前記スケーリングされたルーマ残差サンプルを量子化するようにさらに構成され、ここにおいて、前記予測クロマ残差サンプルを決定するために、前記少なくとも１つのプロセッサは、前記予測クロマ残差サンプルを生成するために、前記クロマ残差サンプルから、前記量子化およびスケーリングされたルーマ残差サンプルを減算するようにさらに構成される、請求項９に記載のデバイス。
【請求項１１】
前記少なくとも１つのプロセッサは、符号化ビデオビットストリーム中で前記スケールファクタを示す情報を符号化するようにさらに構成される、請求項９に記載のデバイス。
【請求項１２】
前記予測クロマ残差サンプルを決定するために、前記少なくとも１つのプロセッサは、
オフセット値を決定することと、
前記残差クロマサンプルから前記オフセットを減算することと、
を行うようにさらに構成される、請求項９に記載のデバイス。
【請求項１３】
前記予測残差クロマサンプルを決定するために、前記少なくとも１つのプロセッサは、
前記ビデオブロックの残差クロマサンプルおよび前記ビデオブロックの残差サンプルが同じイントラ予測方向を有すると決定することに応答して、前記予測残差クロマサンプルを決定すること
を行うようにさらに構成される、請求項９に記載のデバイス。
【請求項１４】
前記スケールファクタを決定するために、前記少なくとも１つのプロセッサは、
第１のシンタックス要素中で前記スケールファクタのための符号をシグナリングすることと、
第２のシンタックス要素中で前記スケールファクタの絶対値をシグナリングすることと、および／または、
スライスヘッダ中で、前記スケールファクタが０に等しいか否かを示すシンタックス要素をシグナリングすることと、
前記スケールファクタが０に等しくないことをシグナリングすることに応答して、
残差クロマサンプルの前記予測ブロックのコーディングツリーユニット（ＣＴＵ）と、コーディングユニット（ＣＵ）と、予測ユニット（ＰＵ）と、変換ユニット（ＴＵ）とからなるグループのうちの少なくとも１つにおいて、前記スケールファクタが０に等しいか否かを示すシンタックス要素をシグナリングすることと、
を行うようにさらに構成される、請求項９に記載のデバイス。
【請求項１５】
実行されたとき、少なくとも１つのプロセッサに、請求項１または請求項２に記載の方法を実施させる命令を記憶する、非一時的コンピュータ可読記憶媒体。